(57)【要約】【課題】衝突時における歩行者への衝撃を適切に吸収して小さく抑えることが可能で、成形性に優れたＦＲＰ製自動車用外板部材を提供する。【解決手段】ＦＲＰ製外板とＦＲＰ製内板が少なくとも一部において間隔をもって対向配置され、該対向配置により形成された空間に、高伸度樹脂からなる中空構造物または波板状構造材もしくは多数の球状中空構造体がＦＲＰ製外板およびＦＲＰ製内板の両方に接するように配置されていることを特徴とする自動車用外板部材。【選択図】図２
2005219711.tif 000002
【特許請求の範囲】
【請求項１】
ＦＲＰ製外板とＦＲＰ製内板が少なくとも一部において間隔をもって対向配置され、該対向配置により形成された空間に、高伸度樹脂からなる中空構造物が前記ＦＲＰ製外板およびＦＲＰ製内板の両方に接するように配置されていることを特徴とする自動車用外板部材。
【請求項２】
前記中空構造物がブロー成形されたものからなる、請求項１の自動車用外板部材。
【請求項３】
ＦＲＰ製外板とＦＲＰ製内板が少なくとも一部において間隔をもって対向配置され、該対向配置により形成された空間に、高伸度樹脂からなる波板状構造材が前記ＦＲＰ製外板およびＦＲＰ製内板の両方に接するように配置されていることを特徴とする自動車用外板部材。
【請求項４】
前記波板状構造材が、ブロー成形された中空構造物から内部気体を抜くことにより形成されたものからなる、請求項３の自動車用外板部材。
【請求項５】
ＦＲＰ製外板とＦＲＰ製内板が少なくとも一部において間隔をもって対向配置され、該対向配置により形成された空間に、多数の高伸度樹脂からなる球状中空構造体が前記ＦＲＰ製外板およびＦＲＰ製内板の両方に接するように充填、封入されていることを特徴とする自動車用外板部材。
【請求項６】
個々の球状中空構造体の構造体としての破壊強度が、前記ＦＲＰ製外板およびＦＲＰ製内板のそれ以下である、請求項５の自動車用外板部材。
【請求項７】
前記ＦＲＰ製外板、ＦＲＰ製内板および前記中空構造物または前記波板状構造材または前記球状中空構造体が一体成形されてなる、請求項１〜６のいずれかに記載の自動車用外板部材。
【請求項８】
前記ＦＲＰ製外板および前記中空構造物が一体成形され、それに前記ＦＲＰ製内板が貼り合わされてなる、請求項１または２の自動車用外板部材。
【請求項９】
前記ＦＲＰ製外板が外面を形成する部材からなり、前記ＦＲＰ製内板がそのスチフナからなる、請求項１〜８のいずれかに記載の自動車用外板部材。
【請求項１０】
自動車のボンネット用に用いられる、請求項１〜９のいずれかに記載の自動車用外板部材。
【発明の詳細な説明】
【技術分野】
【０００１】
本発明は、ＦＲＰ（繊維強化プラスチック）製自動車用外板部材に関し、とくに、衝撃荷重を効果的に吸収できるようにした、ＦＲＰ製ボンネット等に用いて好適な自動車用外板部材に関する。
【背景技術】
【０００２】
近年、自動車には、衝突時等における安全性を高めることが要求されており、とくに、衝撃的な外力が加わった際の乗員側の安全性とともに、事故時の歩行者保護性能を高めることが要求されている。自動車が歩行者に衝突した際には、歩行者は、自動車の前部やボンネット等に対し、脚や頭部に衝撃荷重を受けることになるが、とくに死亡事故の低減には、頭部へのダメージを低減することが不可欠であると言われている。したがって、とくに頭部にダメージを与えやすい自動車側部位、とくにボンネットに対しては、衝突事故時にも極力衝撃力を吸収でき、頭部へのダメージを小さく抑えることが求められている。
【０００３】
このような衝撃吸収性能を持たせるためには、自動車用外板部材が、適切に変形あるいは破壊することにより、自動車内部部品の破損や乗員へのダメージを極力小さく抑えつつ、歩行者への衝撃力付与を極力小さく抑える必要がある。つまり、歩行者保護の観点から、衝撃吸収のために適切なクラッシャブル構造とする必要がある。
【０００４】
ＦＲＰ製自動車用パネルとしては、各種の構造が提案されているが、従来の提案は、主として必要な部分の強度や剛性を局部的に向上することを目的としており（例えば、特許文献１）、ＦＲＰ製自動車用パネルとして、上記のような衝撃吸収のために適切なクラッシャブル構造とする提案はほとんど見当たらない。
【特許文献１】特開２００３−１４６２５２号公報
【発明の開示】
【発明が解決しようとする課題】
【０００５】
そこで本発明の課題は、従来の技術開発指向とは視点を変え、とくに歩行者保護の観点から、衝突時における歩行者への衝撃を適切に吸収して小さく抑えることが可能なＦＲＰ製自動車用外板部材を提供することにあり、併せて、そのようなＦＲＰ製自動車用外板部材を優れた成形性をもって作成できる技術を提供することにある。
【課題を解決するための手段】
【０００６】
上記課題を解決するために、本発明に係る自動車用外板部材は、ＦＲＰ製外板とＦＲＰ製内板が少なくとも一部において間隔をもって対向配置され、該対向配置により形成された空間に、高伸度樹脂からなる中空構造物が前記ＦＲＰ製外板およびＦＲＰ製内板の両方に接するように配置されていることを特徴とするものからなる。
【０００７】
この自動車用外板部材においては、上記中空構造物はブロー成形されたものから構成することができる。
【０００８】
また、本発明に係る自動車用外板部材は、ＦＲＰ製外板とＦＲＰ製内板が少なくとも一部において間隔をもって対向配置され、該対向配置により形成された空間に、高伸度樹脂からなる波板状構造材が前記ＦＲＰ製外板およびＦＲＰ製内板の両方に接するように配置されていることを特徴とするものからなる。
【０００９】
この自動車用外板部材においては、上記波板状構造材は、元々波状に形成されたものを使用することもできるし、前述の如きブロー成形された中空構造物から内部気体を抜くことにより形成することもできる。
【００１０】
さらに、本発明に係る自動車用外板部材は、ＦＲＰ製外板とＦＲＰ製内板が少なくとも一部において間隔をもって対向配置され、該対向配置により形成された空間に、多数の高伸度樹脂からなる球状中空構造体が前記ＦＲＰ製外板およびＦＲＰ製内板の両方に接するように充填、封入されていることを特徴とするものからなる。
【００１１】
この自動車用外板部材においては、個々の球状中空構造体の構造体としての破壊強度が、ＦＲＰ製外板およびＦＲＰ製内板のそれ以下であることが好ましい。
【００１２】
このような本発明に係る自動車用外板部材は、上記ＦＲＰ製外板、ＦＲＰ製内板および上記中空構造物または上記波板状構造材または上記球状中空構造体を一体成形することが可能であり、一体成形により優れた成形性が達成できる。
【００１３】
また、中空構造物を使用する場合には、ＦＲＰ製外板および中空構造物を一体成形し、それに上記ＦＲＰ製内板を貼り合わせることも可能であり、この場合にも、一体成形により優れた成形性が達成できる。
【００１４】
上記中空構造物や波板状構造材、球状中空構造体を構成する高伸度樹脂は、後述するような衝撃エネルギー吸収性能を達成できるものであればとくに限定しないが、伸度が少なくとも１０％以上の樹脂を選択することが好ましい。より好ましくは伸度５０％以上の樹脂を選択することが好ましい。
【００１５】
また、本発明に係る自動車用外板部材の形態もとくに限定されず、たとえば、上記ＦＲＰ製外板が外面を形成する部材からなり、上記ＦＲＰ製内板がそのスチフナからなる部材に適用できる。本発明に係る自動車用外板部材の適用部位も特に限定されず、自動車のボンネットや前部フェンダー用に用いることができる。とくに、自動車のボンネット用に用いられる場合、前述したような衝突事故時の歩行者のとくに頭部保護に有効である。
【００１６】
このような本発明に係る自動車用外板部材においては、高伸度樹脂からなる中空構造物や波板状構造材、球状中空構造体は、外部からＦＲＰ製外板に衝撃荷重が加わった際に、あるいは、自動車用外板部材が内方に変形し、ＦＲＰ製内板が内部搭載物と衝突した際に、ＦＲＰ製外板と内板との間で適切に変形あるいは破壊して、クッション材として機能し、衝撃エネルギーが良好に吸収されることになる。また、これら中空構造物や波板状構造材、球状中空構造体は、ＦＲＰ製外板と内板との間に配置して全体を一体成形可能であるから、該一体成形により優れた成形性も同時に確保される。
【発明の効果】
【００１７】
本発明に係る自動車用外板部材によれば、ＦＲＰ板間に高伸度樹脂からなる中空構造物や波板状構造材、球状中空構造体を介在させて衝撃エネルギーを適切に吸収できるようにし、衝突事故時等の際の衝撃を効果的に吸収できるクラッシャブル構造を可能としたので、近年の衝突事故時等における歩行者保護の要求に対処することが可能になる。これによって、死亡事故等の件数を顕著に低減できることが期待される。また、この構造を、優れた成形性をもって実現することができる。
【発明を実施するための最良の形態】
【００１８】
以下に、本発明の望ましい実施の形態について、図面を参照しながら説明する。
図１は、本発明の一実施態様に係る自動車用外板部材を示しており、とくに本発明を自動車のボンネットに適用した場合を示している。図１において、１は自動車用外板部材としてのボンネット全体を示しており、本実施態様では、ボンネット１は、ＦＲＰ製外板としてのパネル材２と、ＦＲＰ製内板としてのスチフナ３とを有し、これらＦＲＰ製外板とＦＲＰ製内板とが少なくとも部分的に対向配置されて、該対向配置により形成された空間に、中空構造物としての高伸度樹脂からなる中空中子４が、パネル材２とスチフナ３との両方に接するように配置されている。つまり、パネル材２とスチフナ３の間に、両者に接するように中空中子４が介在されている。中空構造物としての中空中子４は、たとえばブロー成形により所定の中空構造に成形できる。
【００１９】
そして図２に示すように、上記ＦＲＰ製パネル材２とスチフナ３が中空中子４を包み込むように、これら部材が一体成形されている。あるいは、ＦＲＰ製パネル材２と中空中子４を一体成形し、その一体成形物に対してスチフナ３を貼り合わせることも可能である。いずれの方法でも、一体成形を採用することにより、全体として優れた成形性が得られる。
【００２０】
なお、本発明における自動車用外板部材のＦＲＰ製外板あるいは内板とは、強化繊維により強化された樹脂板を指し、強化繊維としては、たとえば、炭素繊維、ガラス繊維等の無機繊維や、ケブラー繊維、ポリエチレン繊維、ポリアミド繊維などの有機繊維からなる強化繊維が挙げられる。面剛性等の制御の容易性の面からは、とくに炭素繊維が好ましい。ＦＲＰ板のマトリックス樹脂としては、たとえば、エポキシ樹脂、不飽和ポリエステル樹脂、ビニルエステル樹脂、フェノール樹脂等の熱硬化性樹脂が挙げられ、さらには、ポリアミド樹脂、ポリオレフィン樹脂、ジシクロペンタジエン樹脂、ポリウレタン樹脂等の熱可塑性樹脂も使用可能である。中空中子４を構成する高伸度樹脂は、ポリエチレン、ポリプロピレン、ポリ塩化ビニル、ポリスチレン、ＡＢＳ樹脂、ポリアミド、ポリアセタール、ポリブチレンテレフタレート、ポリカーボネート、変性ポリフェニレンエーテル、ポリスルホン、ポリアリレート、ポリアミドイミド、液晶性ポリエステル、ポリフェニレンスルファイド、ポリエーテルイミド等の熱可塑性樹脂で構成される。
【００２１】
このように構成された自動車用外板部材としてのボンネット１は、内部にパネル材２とスチフナ３の両方に接している高伸度樹脂からなる中空中子４を包含しているので、外面を形成しているパネル材２に衝撃エネルギーが加わった際には、パネル材自身が変形するとともに、スチフナ３で支持された中空中子４にその衝撃エネルギーが伝播され、高伸度樹脂からなり且つ中空構造を有する中空中子４がクッション材となってその変形により良好に衝撃エネルギーが吸収されることになる。また、変形が進み、スチフナ３が内部搭載物に衝突する際にも、同様に中空中子４がクッション材となってその変形により良好に衝撃エネルギーが吸収されることになる。
【００２２】
図３は、本発明の別の実施態様に係る自動車用外板部材の部分断面を示しており、図２に示した中空中子４に変えて、高伸度樹脂からなる波板状構造材１１が、対向配置されたパネル材２とスチフナ３の間に形成された空間に、両部材に接するように配置されている。この波板状構造材１１は、元々波板状に形成された部材を使用して、前述したのと同様の方法でボンネット全体を一体成形することも可能であるが、本実施態様では、先に図２に示した形態を完成させ、その後に、中空中子４の内部気体（内部空気）をたとえば駐車針等を介して吸引により抜くことにより、空間内で自然に図３に示すような波板状構造材１１を形成したものである。
【００２３】
このように、パネル材２とスチフナ３の間に両者に接するように波板状構造材１１を介在させることにより、衝撃が加わったパネル材２の部位に対応する波板状構造材１１の部位が適切に変形してクッション材として機能し、全体としても局部的にも、衝撃エネルギーが良好に吸収されることになる。
【００２４】
図４は、本発明のさらに別の実施態様に係る自動車用外板部材の部分断面を示しており、図２に示した中空中子４に変えて、高伸度樹脂からなる球状中空構造体１２が、多数、対向配置されたパネル材２とスチフナ３の間に形成された空間に、充填、封入されている。このような球状中空構造体１２の充填、封入構造においては、パネル材２やスチフナ３に衝撃荷重が加わった際、封入された球状中空構造体１２が徐々に壊れることにより、局部的にも全体としても、衝撃エネルギーが良好に吸収されることになる。
【００２５】
図５の応力−歪み線図で、本発明の理想的な破壊形態（例えば頭部がボンネットに衝突する際の理想的な破壊形態）における、エネルギーの吸収の様子を示す。領域１３ではパネル材の表面に力が加わった場合の応力により歪みが発生し、１４の地点（パネルの破壊強度）まで弾性的に歪む。次に１５の領域で球状中空構造体１２が逐次破壊する。最後の１６地点で破壊する。
【図面の簡単な説明】
【００２６】
【図１】本発明の一実施態様に係る、中空構造物を用いた自動車用外板部材の分解斜視図である。
【図２】図１の自動車用外板部材の部分断面図である。
【図３】本発明の別の実施態様に係る、波板状構造材を用いた自動車用外板部材の部分断面図である。
【図４】本発明のさらに別の実施態様に係る、球状中空構造体を用いた自動車用外板部材の部分断面図である。
【図５】衝突時の応力−歪み線図である。
【符号の説明】
【００２７】
１  自動車用外板部材としてのボンネット
２  ＦＲＰ製外板としてのパネル材
３  ＦＲＰ製内板としてのスチフナ
４  中空構造物としての中空中子
１１  波板状構造材
１２  球状中空構造体
１３  パネル材表面の弾性変形領域
１４  パネルの破壊強度
１５  球状中空構造体の逐次破壊領域
１６  パネルの破壊点
【図１】
2005219711.tif 000003
【図２】
2005219711.tif 000004
【図３】
2005219711.tif 000005
【図４】
2005219711.tif 000006
【図５】
2005219711.tif 000007